(57)【要約】【課題】撮像素子の静電気対策および電流制御が可能な小型のカメラユニットを搭載した携帯端末装置を提供すること。【解決手段】携帯端末本体にカメラユニット２２を回動可能に搭載した携帯端末装置において、カメラユニット２２は、回転体２３と、回転体２３内に収容された撮像部２４，２５と、撮像部２４，２５に接続され、かつ回転体２３外へ延設されたフレキシブル基板２６とを有し、撮像部２４，２５近傍のフレキシブル基板２６上に撮像部制御部品２４ａ〜２４ｄ，２５ａ〜２５ｄを配設したことを特徴とする。【選択図】    図６
2004297660.tif 000002
【特許請求の範囲】
【請求項１】
携帯端末本体にカメラユニットを回動可能に搭載した携帯端末装置において、
前記カメラユニットは、回転体と、該回転体内に収容された撮像部と、該撮像部に接続され、かつ前記回転体外へ延設されたフレキシブル基板とを有し、前記撮像部近傍のフレキシブル基板上に撮像部制御部品を配設したことを特徴とする携帯端末装置。
【請求項２】
前記フレキシブル基板は、前記回転体の軸線方向に延在する第１の延在部及び第２の延在部と、前記軸線に垂直な方向に延在する第３の延在部とを有する略Ｔ字状に形成してなり、前記第１の延在部に撮像部を接続すると共に、前記第２の延在部に発光部を接続し、前記第２の延在部を折り返して前記発光部を前記撮像部と並設した状態として前記撮像部、発光部、第１及び第２の延在部を前記回転体内に収容したことを特徴とする請求項１に記載の携帯端末装置。
【請求項３】
前記撮像部制御部品は、コンデンサ、抵抗器、ダイオード、フェライトビーズのうち一種以上からなることを特徴とする請求項１又は請求項２に記載の携帯端末装置。
【発明の詳細な説明】
【０００１】
【発明の属する技術分野】
本発明は、回転可能なカメラユニットを搭載した携帯電話、ＰＤＡ（Ｐｅｒｓｏｎａｌ  Ｄｉｇｉｔａｌ  Ａｓｓｉｓｔａｎｔ）、デジタルカメラ、ノートパソコン等の携帯端末装置に関する。
【０００２】
【従来の技術】
近年、回転可能なカメラユニットを搭載した携帯電話、ＰＤＡ、デジタルカメラ、ノートパソコン等の携帯端末装置の需要が高まりつつある。
そのカメラユニットを搭載した携帯端末装置としては、例えば、本体側筐体とＬＣＤ側筐体とを備え、本体側筐体にはレンズ部を有し略円筒状に形成されたカメラユニットがその両端を支持されて回動可能に内設された携帯端末装置がある。この携帯端末装置は、カメラユニットを作動させることによって、ＬＣＤ側の被写体のみならず、ＬＣＤの背面側の被写体をもＬＣＤを見ながら撮影可能であり、かつレンズ部を筐体の内側に収納してレンズを保護することが可能である（特許文献１参照）。
【０００３】
また、カメラユニットを搭載した携帯端末装置としては、例えば、下部筐体と上部筐体とヒンジ部と撮影部と連動機構とを備え、撮影部がヒンジ部の端部に回動可能に設けられており、上部筐体の回動動作及び指などによる摘み手動での回動動作で自由に回動角度を調整できるようになっているものがある。この携帯端末装置は、カメラユニットの向きを容易に調整できるとともに、筐体を折り畳む動作に連動してカメラユニットを自動的に閉じることができるようになるので、外部からカメラユニットを保護することが可能となる。また、この携帯端末装置に設けられたヒンジ部の端部には、撮影部を電気的に接続するフレキシブル基板がカメラユニットから外部に延在するように設けられており、ヒンジ部の端部に着脱可能となっている（特許文献２参照）。
【０００４】
【特許文献１】
特開２００２−１１１８３４号公報（第３−４頁、第１図）
【特許文献２】
特開２００２−３５９６７８号公報（第３−６頁、第１図）
【０００５】
【発明が解決しようとする課題】
ところで、カメラユニットを搭載する携帯端末装置においては、筐体内部に撮像素子を配置する際、撮像素子の静電気対策や電流制御等を目的として、コンデンサ、ダイオード、フェライトビーズ、抵抗器等の電子部品を撮像素子の近傍に配置する必要がある。しかしながら、特許文献１，２のようなカメラユニットを有する携帯端末装置において、前記電子部品を撮像素子の近傍に配置する場合、撮像素子を搭載する基板上に前記電子部品を配設することが一般的であり、そのために基板が大きくなり、カメラユニットを構成する回転体を大きくせざるを得ず、それ故、携帯端末装置自体が大型化してしまうばかりか、カメラユニットが筐体から大きく出っ張り、携帯端末装置のデザイン性が損なわれるといった課題があった。
【０００６】
本発明は、このような事情を考慮してなされたもので、撮像素子の静電気対策および電流制御が可能な小型のカメラユニットを搭載した携帯端末装置を提供することを目的とする。
【０００７】
【課題を解決するための手段】
本発明は、上記課題を解決するために以下の手段を採用する。
請求項１に係る発明は、携帯端末本体にカメラユニットを回動可能に搭載した携帯端末装置において、前記カメラユニットは、回転体と、該回転体内に収容された撮像部と、該撮像部に接続され、かつ前記回転体外へ延設されたフレキシブル基板とを有し、前記撮像部近傍のフレキシブル基板上に撮像部制御部品を配設したことを特徴とする。
【０００８】
請求項１に係る発明によれば、撮像部近傍のフレキシブル基板上に撮像部制御部品を配設するようにしたことにより、撮像部を搭載する基板を小さくすることができ、これに伴いカメラユニットを構成する回転体の大きさも小さくすることができる。特に、撮像部以外にモバイルフラッシュを構成する発光部もカメラユニットに搭載する場合、カメラユニットの大型化を防止でき、好適である。
【０００９】
請求項２に係る発明は、請求項１に記載の携帯端末装置において、前記フレキシブル基板を、前記回転体の軸線方向に延在する第１の延在部及び第２の延在部と、前記軸線に垂直な方向に延在する第３の延在部とを有する略Ｔ字状に形成してなり、前記第１の延在部に撮像部を接続すると共に、前記第２の延在部に発光部を接続し、前記第２の延在部を折り返して前記発光部を前記撮像部と並設した状態として前記撮像部、発光部、第１及び第２の延在部を前記回転体内に収容したことを特徴とする。
【００１０】
請求項２に係る発明によれば、フレキシブル基板を２つに分岐させ、第１の延在部に撮像部を接続し、第２の延在部に発光部を接続するというように、撮像部と発光部とを独立させてフレキシブル基板と接続するようにしたことから、第１及び第２の延在部の幅を細くすることができる。即ち、撮像部と発光部とを一つの基板に搭載する場合、この基板に接続されるフレキシブル基板の幅を広くすることとなり、フレキシブル基板を回転体内に収容することが困難となるのであるが、請求項２に係る発明では、撮像部に接続される第１の延在部と発光部に接続される第２の延在部の幅をそれぞれ細くでき、さらに第２の延在部を折り返して撮像部と発光部とを並設するようにしたことから回転体が大型化することを防止し、カメラユニットの小型化が図れる。
【００１１】
請求項３に係る発明は、請求項１又は請求項２記載の携帯端末装置において、前記撮像部制御部品が、コンデンサ、抵抗器、ダイオード、フェライトビーズのうち一種以上からなることを特徴とする。
【００１２】
請求項３に係る発明によれば、コンデンサ、抵抗器、ダイオード、フェライトビーズのうち一種以上の撮像部制御部品をフレキシブル基板上に配設することで、撮像部に対するノイズ対策、静電気対策、電流制御等を行うことができ、撮像部より取り込まれた画像に悪影響を与えたり、撮像部自体に不具合が発生することを効果的に防止することができる。
【００１３】
【発明の実施の形態】
以下、本発明に係る実施の形態について、図面を参照して説明する。
図１は、本発明における実施の形態を示す図であって、本発明を適用した携帯端末装置の開いた状態を前面側から見た斜視図である。
この携帯端末装置は、携帯端末本体として、下部筐体１と、上部筐体２と、ヒンジ部３とを備えている。
【００１４】
下部筐体１は、テンキーボタン１１ａと、カーソルボタン１１ｂと、決定ボタン１１ｃとを有する操作部１１が配置されている。
上部筐体２は、表示部２１と、カメラユニット２２とを備えている。
ヒンジ部３は、下部筐体１の端部と一体化された下部ヒンジ３ａと、上部筐体２の端部と一体化された上部ヒンジ３ｂとを備え、下部筐体１と上部筐体２とを連結し、下部筐体１に対して上部筐体２を回動可能となるように支持している。
この携帯端末装置は、非使用時には、下部筐体１の操作部１１を有する面と上部筐体２の表示部２１を有する面とが向かい合うようにヒンジ部３を支点として折り畳み可能となっている。
【００１５】
表示部２１は、例えば液晶表示装置によって形成され、操作部１１によって入力された文字等の情報、携帯端末装置内に内蔵された図示しないメモリに記憶されている文字あるいは画像等の情報、操作部１１を操作してカメラユニット２２を用いて撮影された画像等の情報、および携帯端末装置内に内蔵された図示しない送受信装置によって送受信された画像等の情報が表示されるようになっている。
【００１６】
カメラユニット２２は、図３〜図６に示すように、上部筐体２に内蔵され、上部筐体２の幅方向に延在するように略円筒状に形成されている。このカメラユニット２２は、軸２２ａを有して軸２２ａの両端を上部筐体２内で回動可能に支持された回転体２３と、回転体２３内に配置された撮像部としてのカメラモジュール２４および発光部２５と、回転体２３の端部に設けられ、カメラモジュール２４および発光部２５に接続されたフレキシブル基板２６を備えている。
【００１７】
カメラユニット２２は、図１に示すように表示部２１側にカメラモジュール２４が向いた状態で撮影すると、表示部２１を見ながら表示部２１側の被写体が撮影可能となる。一方、表示部２１側にカメラモジュール２４が向いた状態から、回転体２３の端部を指等で摘みながら上部筐体２内で１８０度回転させると、図２に示すように表示部２１の反対側にカメラモジュール２４が向いた状態となり、この状態で撮影すると、表示部２１を見ながら表示部２１の反対側にある被写体が撮影可能となる。
また、カメラユニット２２は、上部筐体２内においてケーシング２ａに格納されている。このケーシング２ａの外側には、静電対策用の板金２ｂが貼付されている。
【００１８】
回転体２３は、同軸で直径の異なる大径部２３ａと小径部２３ｂとを備えて構成され、それら大径部２３ａと小径部２３ｂとが連結されている。また、大径部２３ａの小径部２３ｂ側の端部には、回転体２３を指で摘んで容易に回転可能となるように、複数の凹部２３ｃが外周に設けられている。
また、回転体２３は、その内部にカメラモジュール２４、発光部２５およびフレキシブル基板２６が取り付け可能となるように、上下に分割可能な構成とされている。また、回転体２３の側面には、カメラモジュール２４および発光部２５が外部から視認可能となるようにそれぞれ開口部２３ｄ，２３ｅが設けられ、それら開口部２３ｄ，２３ｅには、カメラモジュール２４の撮影窓および発光部２５の発光面を保護するように、それぞれ透明板２３ｆ，２３ｇが設けられている。
【００１９】
カメラモジュール２４は、後述するフレキシブル基板２６の第１の延在部２６ａ上に配置され、その第１の延在部２６ａに電気的に接続されている。このカメラモジュール２４は、図示しない駆動部によって被写体を撮影するものであり、例えばＣＣＤあるいはＣＭＯＳ等が使用されている。
発光部２５は、後述するフレキシブル基板２６の第２の延在部２６ｂ上に配置され、その第２の延在部２６ｂに電気的に接続されている。この発光部２５は、カメラモジュール２４で被写体を撮影する際、図示しない駆動部によって被写体を撮影すると同時に発光するようになっており、例えば白色ＬＥＤが用いられている。
【００２０】
フレキシブル基板２６は、図７に示すように、回転体２３の軸方向に延在する第１の延在部２６ａおよび第２の延在部２６ｂを有し、かつ回転体２３の軸方向と垂直に延在する第３の延在部２６ｃを有して略Ｔ字状に形成されている。このフレキシブル基板２６には、第１の延在部２６ａにカメラモジュール２４の制御部品（発光部制御部品）としてのコンデンサ２４ａ、抵抗器２４ｂ、フェライトビーズ２４ｃおよびダイオード２４ｄが設置され、第２の延在部２６ｂに発光部２５の制御部品（発光部制御部品）としてのコンデンサ２５ａ、抵抗器２５ｂ、フェライトビーズ２５ｃおよびダイオード２５ｄが設置されている。これらの制御部品は、カメラモジュール２４および発光部２５の近傍にそれぞれ設置されている。そして、フレキシブル基板２６の第３の延在部２６ｃは、カメラユニット２２を不図示の回路基板と電気的に接続するようになっている。
【００２１】
フレキシブル基板２６は、第２の延在部２６ｂが折り曲げられて第１の延在部２６ａの上部に重ねられている。このとき、カメラモジュール２４と発光部２５とがいずれも回転体２３の開口部２３ｄ，２３ｅから視認できるように並設されている。
また、フレキシブル基板２６は、このように第２の延在部２６ｂが折り曲げられて第１の延在部２６ａの上部に重ねられた状態で第１の延在部２６ａと第２の延在部２６ｂとが回転体２３内に収納されている。
第２の延在部２６ｂには、発光部２５から発光された光を反射されるように、その発光部２５の周囲を覆うように反射板２５ｄが設けられている。
【００２２】
また、フレキシブル基板２６は、上下に分割された回転体２３を接合させてカメラモジュール２４、発光部２５、その他各構成要素を回転体２３内に収納すると、第３の延在部２６ｃが回転体２３の外部に延設された状態となる。この第３の延在部２６ｃは、図８および図９に示すように、回転体２３の小径部２３ｂの外周に隙間を有して巻回される。
カメラユニット２２は、第３の延在部２６ｃが回転体２３の小径部２３ｂの外周に隙間を有して巻回された状態でケーシング２ａに収納される。
【００２３】
また、回転体２３を構成する大径部２３ａの端部には、回転させたカメラユニット２２を所定の位置で固定させておくために、クリック機構２７が設けられている。このクリック機構２７は、ケーシング２７ａと、ケーシング２７ａ内に設けられたバネ２７ｂと、バネ２７ｂによって回転体２３に押え付けられる金属球２７ｃとを備えている。
【００２４】
バネ２７ｂは、ケーシング２ａの外部に設けられた板金２ｂによってケーシング２７ａの外部から押えられている。また、金属球２７ｃが接触する大径部２３ａの端部には切欠き部２３ｈが設けられており、指で摘んで回転させたカメラユニット２２を停止させる場合、バネ２７ｂの弾性力によって大径部２３ａの端部に押圧されている金属球２７ｃが切欠き部２３ｈに嵌ることでカメラユニット２２が所定の位置で固定される。
【００２５】
また、カメラユニット２２の端部には、カメラユニット２２が回転する際、その位置を検出する回転位置検出スイッチ２８が設けられている。この回転位置検出スイッチ２８は、２つのスイッチ２８ａ，２８ｂで構成されており、カメラモジュール２４の透明板２３ｆが一方の面に向いている位置、カメラモジュール２４の透明板２３ｆが他方の面に向いている位置、およびカメラモジュール２４の透明板２３ｆが隠れる位置のいずれかに設定されるカメラユニット２２の位置を検出するようになっている。
【００２６】
例えば、カメラモジュール２４の透明板２３ｆが一方の面に向いている位置にある場合、スイッチ２８ａが入り、スイッチ２８ｂが切られる。カメラモジュール２４の透明板２３ｆが他方の面に向いている位置にある場合、スイッチ２８ａが切られ、スイッチ２８ｂが入れられる。また、カメラモジュール２４の透明板２３ｆが隠れる位置にある場合、スイッチ２８ａ，２８ｂの双方が切られるようになっている。
【００２７】
次に、上記の構成からなる携帯端末装置の機能および作用について説明する。
この携帯端末装置を用いて被写体の撮影を行う場合、カメラモジュール２４および発光部２５が被写体に向くようにカメラユニット２２に設けられたカメラモジュール２４の透明板２３ｆを回転させた後、下部筐体１に設けられた操作部１１の決定ボタン１１ｃを押下することによって撮影する。
【００２８】
すなわち、携帯端末装置を用いて被写体の撮影を行う際、携帯端末装置が非使用時に折り畳まれた状態から、下部筐体１に重ね合わされている上部筐体２を手で開き、表示部２１を見ながら操作部１１を操作して撮影の設定を行い、必要に応じて発光部２５が撮影と同時に作動するように設定し、上部筐体２に設けられたカメラユニット２２を回転させて透明板２３ｆと透明板２３ｇとを被写体の方向に向けた後、決定ボタン１１ｃを押下して撮影する。
【００２９】
決定ボタン１１ｃを押下すると同時に、カメラモジュール２４および発光部２５に撮影開始の指示が送信されると、図示しない電源からフレキシブル基板２６を介してカメラモジュール２４に瞬間的に電流が流れ、カメラモジュール２４の駆動部が作動するとともに、その撮影と同時に発光部２５に瞬間的に電流が流れ、発光部２５が発光して被写体を撮影する。
このとき、カメラモジュール２４および発光部２５に瞬間的に流れた電流が、カメラモジュール２４および発光部２５の近傍に設けた抵抗器２４ｂ，２５ｂによって抑制され、また、外部からの静電気がダイオード２４ｄ，２５ｄにより防止され、さらには電源回路からのノイズがコンデンサ２４ａ，２５ａとフェライトビーズ２４ｃ，２５ｃによって防止される。
【００３０】
この場合、フレキシブル基板２６の第１の延在部２６ａにカメラモジュール２４が配置され、第２の延在部２６ｂに発光部２５が配置され、そのカメラモジュール２４および発光部２５の近傍に各制御部品が配置されていることにより、カメラユニット２２を搭載する基板を大きくして、各制御部品を配置する必要がない。したがって、カメラユニット２２が小型化されたままで、カメラモジュール２４および発光部２５に対する静電気やノイズを防止し、かつフレキシブル基板２６に瞬間的に流れる電流を制御することとなる。
【００３１】
また、第１の延在部２６ａと第２の延在部２６ｂとが独立に配線されていることによって、それぞれ独立にカメラモジュール２４および発光部２５に対する静電気やノイズを防止し、かつフレキシブル基板２６に瞬間的に流れる電流を制御することとなる。
また、第２の延在部２６ｂが折り曲げられて第１の延在部２６ａの上部に重ねられ、第１の延在部２６ａおよび第２の延在部２６ｂを回転体２３内に収納することにより、フレキシブル基板２６の幅を広く設けることなく、第１の延在部２６ａと第２の延在部２６ｂとを独立に配線して余分なスペースを排除してそれらカメラモジュール２４および発光部２５が回転体２３内に収納されるため、カメラユニット２２の小型化が図れる。
【００３２】
上記の構成によれば、カメラユニット２２の小型化が図れ、かつカメラユニット２２が小型化されたままでカメラモジュール２４および発光部２５に悪影響を与える静電気やノイズを防止し、かつフレキシブル基板２６に瞬間的に流れる電流を制御することとなるので、静電気対策および電流制御が可能な小型のカメラユニット２２を搭載した携帯端末装置を提供することができる。
【００３３】
なお、上記実施の形態において、携帯端末装置として、携帯電話のみならず、例えば、デジタルカメラ、ノートパソコン等、カメラユニットを備えた携帯端末装置に適用してもよい。
また、上記実施の形態において、発光部のみならず、例えば音声を入力するマイク、あるいは使用者が携帯端末装置の操作内容を視認するための小型液晶画面等、携帯端末装置に新たな機能を付加する装置が内蔵されてもよい。
【００３４】
【発明の効果】
以上のように、請求項１に係る発明によれば、撮像部近傍のフレキシブル基板上に撮像部制御部品を配設するようにしたことにより、撮像部に対するノイズ対策、静電気対策、電流制御等を行いつつ、撮像部を搭載する基板を小さくすることができ、これに伴いカメラユニットも小型化することができる。そのため、携帯端末装置自体の大型化を防止できると共に、カメラユニットの筐体からの出っ張りを抑え、携帯端末装置のデザイン性を高めることができる。
【００３５】
請求項２に係る発明によれば、フレキシブル基板を２つに分岐させ、第１の延在部に撮像部を接続し、第２の延在部に発光部を接続するというように、撮像部と発光部とを独立させてフレキシブル基板と接続するようにしたことから、第１及び第２の延在部の幅を細くすることができる。しかも第２の延在部を折り返して撮像部と発光部とを並設するようにしたことから、撮像部と発光部とが回転体内に搭載されるにもかかわらず、カメラユニットの小型化を図ることができる。
【００３６】
請求項３に係る発明によれば、前記撮像部制御部品をフレキシブル基板上に配設することで撮像部に対するノイズ対策、静電気対策、電流制御等を行うことができ、撮像部より取り込まれた画像に悪影響を与えたり、撮像部自体に不具合が発生することを効果的に防止することができる。
【図面の簡単な説明】
【図１】本発明の実施の形態に係る携帯端末装置の開いた状態を前面側から見た斜視図である。
【図２】本発明の実施の形態に係る携帯端末装置の開いた状態を裏面側から見た斜視図である。
【図３】本発明の実施の形態に係る携帯端末装置に設けられたカメラユニットの取り付け状態を示す斜視図である。
【図４】本発明の実施の形態に係る携帯端末装置に設けられたカメラユニットを示す斜視図である。
【図５】図１のＡ−Ａ線断面図である。
【図６】本発明の実施の形態に係る携帯端末装置に設けられたカメラユニットの展開図である。
【図７】本発明の実施の形態に係る携帯端末装置に設けられたフレキシブル基板の展開図である。
【図８】本発明の実施の形態に係る携帯端末装置に設けられたカメラユニットの斜視図である。
【図９】本発明の実施の形態に係る携帯端末装置に設けられたフレキシブル基板を側面から見た拡大斜視図である。
【図１０】本発明の実施の形態に係る携帯端末装置に設けられたクリック機構の断面図である。
【符号の説明】
１  下部筐体
１１  操作部
２  上部筐体
２１  表示部
２２  カメラユニット
２３  回転体
２４  カメラモジュール
２４ａ  コンデンサ
２４ｂ  抵抗器
２４ｃ  フェライトビーズ
２４ｄ  ダイオード
２５  発光部
２５ａ  コンデンサ
２５ｂ  抵抗器
２５ｃ  フェライトビーズ
２５ｄ  ダイオード
２６  フレキシブル基板
２６ａ  第１の延在部
２６ｂ  第２の延在部
２６ｃ  第３の延在部
【図１】
2004297660.tif 000003
【図２】
2004297660.tif 000004
【図３】
2004297660.tif 000005
【図４】
2004297660.tif 000006
【図５】
2004297660.tif 000007
【図６】
2004297660.tif 000008
【図７】
2004297660.tif 000009
【図８】
2004297660.tif 000010
【図９】
2004297660.tif 000011
【図１０】
2004297660.tif 000012